(57)【要約】【課題】ランプを本体に確実に装着することが可能な照明器具を提供する。【解決手段】照明器具１０は、本体１１、灯具１２、ソケット１３および口金付ランプ１４を具備する。本体１１は、一端部側に開口１１ａを設け、被設置部Ｘに開口が露出するように埋め込んで設置される。灯具１２は、一端部側に照射開口１２ｂ１を設け、本体の開口に照射開口が面するように配設されるとともに、本体内に水平軸を中心にして鉛直方向に回動可能に設けられる。ソケット１３は、灯具内に配設されるとともに、一対の電気接続部１３ｂを、灯具の回動軸線ｚ−ｚと略直交する位置に対向して設ける。口金付ランプ１４は、灯具内に配設されるとともに、ソケットの各電気接続部に接続される一対の口金１４ｃを有する。【選択図】        図１
2013004249.tif 000002
【特許請求の範囲】
【請求項１】
一端部側に開口を設け、被設置部に開口が露出するように埋め込んで設置される本体と；
一端部側に照射開口を設け、本体の開口に照射開口が面するように配設されるとともに、本体内に水平軸を中心にして鉛直方向に回動可能に設けられる灯具と；
灯具内に配設されるとともに、一対の電気接続部を、灯具の回動軸線と略直交する位置に対向して設けたソケットと；
灯具内に配設されるとともに、ソケットの各電気接続部に接続される一対の口金を有する口金付ランプと；
を具備していることを特徴とする照明器具。
【請求項２】
前記本体は、灯具の回動軸線と略直交する方向に対向して設けられた取付具により、被設置部に設置されるようにしたことを特徴とする請求項１に記載の照明器具。
【請求項３】
前記本体は、灯具の回動軸線上に略一致させた位置に端子台を設けたことを特徴とする請求項１または２に記載の照明器具。
【発明の詳細な説明】
【技術分野】
【０００１】
本発明の実施形態は、建物の天井等に埋め込み設置されるダウンライト形の照明器具に関する。
【背景技術】
【０００２】
この種、埋め込み形の照明器具においては、光源を有する灯具を本体に対して回動可能に支持し、灯具の照射角度を変更することができるダウンライト形の照明器具が商品化されている。また、発光ダイオード（以下「ＬＥＤ」と称する）は、その発光効率の向上により、一般照明用の光源として採用され各種の照明器具が開発され、特に近年では、建物の天井等に設置されるダウンライト形の照明器具が商品化されている。
【先行技術文献】
【特許文献】
【０００３】
【特許文献１】特開２００９−２３０９１６号公報
【特許文献２】特開２０１０−１２９４８８号公報
【発明の概要】
【発明が解決しようとする課題】
【０００４】
この種、ＬＥＤを光源とするダウンライト形の照明器具においては、さらなる小型化が要求され、近年では１ＥＣ（国際電気標準会議）で規格されたＧＸ５３形の口金を用いたフラットな口金付ランプを光源として用いることにより小型を図っている。しかし、ＧＸ５３形の口金を用いた口金付ランプはフラットで小型の光源を構成することが可能になるが、口金がランプ本体の裏面側に小さく突出した一対のピン状の口金で構成されている。このため、灯具のソケットに口金を装着する際には、口金は勿論、口金が装着されるソケットの一対の電気接続部もランプ本体によって隠れてしまい目で見ることができない。
【０００５】
このため、ランプをソケットに対して、おおよその位置を勘によって定めて装着している。このため、半掛かり状態で装着されてしまう虞が生じ、如何にしてランプを本体に確実に装着できるようにするかが重要な課題となっている。
【０００６】
本発明は、上記課題に鑑みてなされたもので、ランプを本体に確実に装着することが可能な照明器具を提供しようとするものである。
【課題を解決するための手段】
【０００７】
実施形態の照明器具は、本体、灯具、ソケットおよび口金付ランプを具備する。本体は、一端部側に開口を設け、被設置部に開口が露出するように埋め込んで設置される。灯具は、一端部側に照射開口を設け、本体の開口に照射開口が面するように配設されるとともに、本体内に水平軸を中心にして鉛直方向に回動可能に設けられる。ソケットは、灯具内に配設されるとともに、一対の電気接続部を、灯具の回動軸線と略直交する位置に対向して設ける。口金付ランプは、灯具内に配設されるとともに、ソケットの各電気接続部に接続される一対の口金を有する。
【発明の効果】
【０００８】
本発明によれば、ランプを本体に確実に装着することが可能な照明器具を提供することができる。
【図面の簡単な説明】
【０００９】
【図１】実施形態に係る照明器具を示す断面図。
【図２】同じく照明器具を示し、（ａ）は図１の右方から見た断面図、（ｂ）は回動軸を拡大して示す断面図。
【図３】同じく照明器具を図１の下方から見た下面図で、本体および灯具の一部を切り欠いて示す。
【図４】同じく照明器具を示し、（ａ）は照明器具を分解して示す斜視図、（ｂ）は電気接続部を拡大して示す斜視図。
【図５】同じく照明器具を設置した状態を示し、（ａ）は水平な天井に設置した状態を示す断面図、（ｂ）は本（ａ）図の右方から見た断面図。
【図６】同じく照明器具を設置した状態を示し、（ａ）は傾斜天井に設置した状態を示す断面図、（ｂ）は本（ａ）図を矢印Ａ方向から見た背面図。
【図７】回動軸線上に取付具を設けた照明器具を示し、（ａ）は傾斜天井に設置した状態を示す断面図、（ｂ）は本（ａ）図を矢印Ａ方向から見た背面図。
【発明を実施するための形態】
【００１０】
以下、照明器具の実施形態につき、図に従い説明する。本実施形態は、住宅の天井等に設置されるダウンライト形の照明器具で、ＬＥＤを光源体としたＧＸ５３形口金を有するフラットな口金付ランプを装着することが可能な照明器具である。
【００１１】
図１〜図４に示すように、照明器具１０は、被設置部Ｘに開口１１ａが露出するように埋め込んで設置される本体１１、本体１１内に回動可能に設けられる灯具１２、灯具内に配設されるソケット１３、灯具内に配設される口金付ランプ１４で構成する。
【００１２】
本体１１は、熱伝導性を有し所定の強度を有する金属、本実施形態では、アクリル焼付け塗装（バージンホワイト）を施したアルミニウム板を用いて、一端部側に円形の開口１１ａを形成した有底の略円筒状をなす形状に構成する。開口１１ａは、天井等の被設置部Ｘに対して、本体１１が埋め込んで設置された際に、外方に面して露出される。そして、円筒の内面は、反射板の機能をなすように回転放物面となるように形成する。内面は鏡面加工を施してもよい。
【００１３】
本体１１の有底をなす底面には、天板１１ｂが設けられる。天板１１ｂは、所定の強度を有する金属、本実施形態では、アルミニウム板を用い、長手方向の両側を折り曲げてチャネル状に形成し、本体１１の底面を略覆うとともに、一端部を底面からさらに延長して端子台取付部１１ｂ１を一体に形成する（図２（ａ））。なお、天板１１ｂは、本体１１の底面に一体に形成してもよい。
【００１４】
上記に構成された天板１１ｂは、本体１１の底面の外面にネジ等の固定手段によって固定される。これにより、天板１１ｂの矩形状をなす端子台取付部１１ｂ１が、本体１１の外周から一方に突出して設けられ、端子台取付部１１ｂ１の下面に端子台１５が設けられる。端子台１５は、図３に示すように、本体１１における開口１１ａの中心線ｘ−ｘ上に略位置して設けられる。端子台１５は、後述するソケット１３と電源線を接続し、口金付ランプ１４に電源を供給するための部材で、本実施形態では、ポリプロピレン等の合成樹脂で構成され、中心線ｘ−ｘに沿う両端面に電線差込孔を有するＳＬ端子（スクリュウレス）からなる負荷端子１５ａ、１５ａ、電源端子１５ｂ、１５ｂが設けられている。
【００１５】
また、本体１１の円形の開口１１ａには、鍔状に突出する飾り枠１１ｃが一体に形成され、飾り枠の内面外周部に白色の合成ゴムからなるリング状のパッキング１１ｃ１が嵌め込まれる。なお、飾り枠１１ｃは、本体１１と別体に、例えば、ＰＢＴ等の合成樹脂で形成し、開口１１ａの開口外周面に嵌合させて固定するようにしてもよい。
【００１６】
図１中、１１ｄは、亜鉛メッキ鋼板等の金属からなる略Ｕ字形状をなすシャーシで、本体１１の底面から外周面に跨るように嵌め込まれ、本体１１の底面にネジ等の固定手段によって固定される。そして、Ｕ字形をなすシャーシ１１ｄの両端部には、ステンレス製の板バネからなる２本の取付具１６、１６が着脱可能に設けられる。本実施形態では、シャーシ１１ｄの両端部に一体に切起して形成された係止溝（図示省略）に対し、取付具１６の板バネの端部を差し込んで係合することにより着脱が可能になるように装着される。なお、ネジ等の固定手段によって着脱可能に装着してもよい。上記構成により、２本の取付具１６、１６は、図３に示すように、本体１１の開口１１ａの中心線ｘ−ｘと略直交する方向ｙ−ｙに位置して固定される。
【００１７】
灯具１２は、図４に示すように、外灯体１２ａと内灯体１２ｂによって二重に構成される。外灯体１２ａは、本体１１と同様にアクリル焼付塗装（バージンホワイト）を施した鋼板で、一端部側に円形の開口１２ａ１を形成した有底の略円筒状をなす形状に構成する。外灯体１２ａの外形は、本体１１の内面形状と略同様の相似形状をなし、本体１１内面との間に所定の間隔ａ（図２（ａ））を有するように形成し、外灯体１２ａが本体１１内で回動が可能になるように構成する。
【００１８】
内灯体１２ｂは、外灯体１２ａと同様にアクリル焼付塗装（バージンホワイト）を施した鋼板で、一端部側に円形の照射開口１２ｂ１を形成した有底の略円筒状をなす形状に構成する。照射開口１２ｂ１は、天井等の被設置部Ｘに対して、本体１１が埋め込んで設置された際に、外方に面して露出される。そして、円筒の内面は、反射板の機能をなすように回転放物面となるように形成する。内面は鏡面加工を施してもよい。また、内灯体１２ｂの外形は、外灯体１２ａの内面形状と略同様の相似形状をなし、外灯体１２ａの内面との間に所定の間隔ｂ（図２（ａ））を有するように形成し、外灯体１２ａと内灯体１２ｂとの間に後述する回動軸１８の端部および端部に螺合されるナット２０、２０が収容されるように構成する。
【００１９】
また、内灯体１２ｂの円形の照射開口１２ｂ１には、鍔状に突出する飾り枠１２ｂ２が一体に形成される。なお、飾り枠１２ｂ２は、内灯体１２ｂと別体に、例えば、ＰＢＴ等の合成樹脂で形成し、照射開口１２ｂ１の開口外周面に嵌合させて固定するようにしてもよい。
【００２０】
上記に構成された外灯体１２ａと内灯体１２ｂは、図２（ａ）に示すように、外灯体１２ａ内に内灯体１２ｂが挿入嵌合され、飾り枠１２ｂ２によって、両者の間隔ｂが閉塞され、さらに、それぞれの有底の底面が重なられてネジ等の固定手段によって固定されることにより灯具１２が構成される。
【００２１】
上記に構成される灯具１２は、本体１１の開口１１ａに灯具１２の照射開口１２ｂ１が面するように配設されるとともに、本体１１内に水平軸を中心にして鉛直方向に回動可能に設けられる。すなわち、図２（ａ）（ｂ）に示すように、本体１１内面の開口１１ａ側と外灯体１２ａ外面の開口１２ａ１側に面して、直径方向に対向した位置に軸孔１７、１７を形成する。この軸孔１７、１７それぞれに、ボルトからなる回動軸１８、１８を挿通し、スペーサ１９、１９およびナット２０、２０を使用して締め付け、回転保持力を確保するように構成する。
【００２２】
そして、上記のように本体１１の内面に回動可能に取り付けられた外灯体１２ａに対して、内灯体１２ｂが挿入嵌合され、底面がネジによって固定される。これにより、外灯体１２ａと内灯体１２ｂとの間に回動軸１８、１８の端部が収容され、回動軸１８、１８の端部やナット２０、２０が内灯体１２ｂによって覆い隠される。この際、本体１１の開口１１ａの中心Ｏと、灯具１２の外灯体１２ａの開口１２ａ１の中心、内灯体１２ｂの照射開口１２ｂ１の中心がそれぞれ一致するように位置させて回動軸１８、１８を固定する。
【００２３】
これにより、灯具１２は、外灯体１２ａの外面と本体１１内面との間に形成される間隔ａ内で、本体１１の内面に対して回動軸１８、１８を中心とし、所定の角度、本実施形態では約４５°の角度範囲で、鉛直方向（図１中、矢印ｃ方向）に向けて回動させることができる。
【００２４】
なお、直径方向に対向した位置に設けられる一対の回動軸１８、１８を結ぶ線（回動軸線）ｚ−ｚは、図３に示すように、上述した本体１１の開口１１ａの中心線ｘ−ｘに略一致するように設けられる。換言すれば、灯具１２の回動軸線ｚ−ｚは、取付具１６、１６を結ぶ線ｙ−ｙと略直交する方向に位置して設けられ、本体１１は、灯具１２の回動軸線ｚ−ｚと略直交するｙ−ｙ方向に対向して設けられた取付具１６、１６により被設置部Ｘに設置される。
【００２５】
ソケット１３は、図４（ａ）に示すように、ソケット本体１３ａと一対の電気接続部１３ｂからなり、ソケット本体１３ａは、電気絶縁性を有する合成樹脂、本実施形態ではポリカーボネート樹脂で構成された円板状をなし、その中央部に貫通した嵌合孔１３ａ１が形成されたリング状をなす形状に構成される。
【００２６】
電気接続部１３ｂは、図４（ｂ）に示すように、口金付ランプ１４の一対のＧＸ５３形の口金１４ｃが電気的に接続される一対の端子板１３ｂ１と、この端子板を収納するとともに、口金１４ｃと端子板１３ｂ１との電気接続時に、口金付ランプ１４とソケット本体１３ａとを機械的に結合する一対の係合孔１３ｂ２を形成する。
【００２７】
一対の係合孔１３ｂ２は、ソケット本体１３ａの中心に対して回転対称に位置する円弧状の長孔からなる係止孔１３ｂ３と、この係止孔の一端に連続して形成された円形の孔からなる挿入孔１３ｂ４とで構成されたダルマ孔からなる。この挿入孔１３ｂ４の直径寸法は、口金１４ｃのプラグ部の直径寸法より大きく形成し、係止孔１３ｂ３の長孔の幅寸法は、プラグ部の直径寸法より小さく形成する。
【００２８】
これにより、口金１４ｃのプラグ部が挿入孔１３ｂ４から挿入され、長孔からなる係止孔１３ｂ３に回動移動させることによって、プラグ部が係合孔１３ｂ２内に収納された端子板１３ｂ１に接触して電気的な接続がなされる。同時に、プラグ部が係止孔１３ｂ３の裏面側に係止して口金１４ｃの係合孔１３ｂ２からの抜け止めがなされて機械的に保持される。
【００２９】
上述した電気接続部１３ｂは、円板状をなすソケット本体１３ａの直径方向に対向して設けられる。さらに、ソケット本体１３ａの背面側には、一対の電気接続部１３ｂを避ける位置に支持用のボス部１３ａ２が一体に形成される。そして、ソケット本体１３ａは、背面側のボス部１３ａ２を灯具１２の内灯体１２ｂの内底面に当接し、タッピンネジ等の固定手段によって固定されソケット１３が灯具１２内に配設される。
【００３０】
この際、ソケット１３は、図３に示すように、直径方向に対向して設けられた一対の電気接続部１３ｂが、灯具１２の回動軸線ｚ−ｚと略直交する位置に対向して設けられる。換言すれば、一対の電気接続部１３ｂが、本体１１の開口１１ａの中心線ｘ−ｘと略直交する線ｙ−ｙ上に略位置するようにして設けられる。
【００３１】
同時に、端子台１５が、本体１１の開口１１ａの中心線ｘ−ｘ上に略位置することから、図３に示すように、一対の電気接続部１３ｂが、端子台１５の一対の負荷端子１５ａ、１５ａを中心とした左右対象の位置に、略等距離に位置して配設される。
【００３２】
上記のように配設された端子台１５の負荷端子１５ａ、１５ａに、ソケット１３の各電気接続部１３ｂがリード線ｗ１、ｗ１によって接続され、電源端子１５ｂ、１５ｂに電源線ｗ２、ｗ２が接続されてソケット１３と商用電源Ｅが接続される。この際、一対の電気接続部１３ｂが、端子台１５の一対の負荷端子１５ａ、１５ａを中心とした左右対象の位置に、略等距離に位置して配設されているので、リード線ｗ１、ｗ１を最短の距離をもって接続することが可能になる。
【００３３】
また、リード線ｗ１、ｗ１は、回動軸線ｚ-ｚに沿い、かつ近接して配設されるので、本体１１内で灯具１２が回動された場合でも、リード線ｗ１、ｗ１に張力がかかり難くなり、断線等を防止することが可能になる。換言すれば、灯具１２の回動を許容するために、リード線ｗ１、ｗ１を長くする必要がなくコスト的にも有利となる。
【００３４】
口金付ランプ１４は、図４（ａ）に示すように、ＧＸ５３形口金を有する円形のフラット形のＬＥＤランプで、円形のランプ本体１４ａと発光部を構成する円形のグローブ１４ｂで構成されている。ランプ本体１４ａは熱伝導性の良好な金属、本実施形態ではアルミダイカストで構成され、内部に発光ダイオード等の固体発光素子を光源とした光源体Ｌおよび点灯装置（図示省略）が設けられ、底面にＧＸ５３形の一対の口金１４ｃが設けられている。ＧＸ５３形の口金は、導電性を有する金属からなり、円柱状をなす軸部と円板状のプラグ部を有するピン形の一対の口金ピンで構成する。
【００３５】
グローブ１４ｂは、透光性を有する透明または光拡散性を有する半透明の部材、本実施形態では乳白色のガラスで正面側が曲面形状に、側面周囲は円筒状をなすように浅い椀状をなす形状に構成され、光源部Ｌを覆うようにしてランプ本体１４ａに設けられ、グローブ正面および側面周囲が発光部となるように構成される。なお、図４（ａ）中、１４ａ１は、ランプ本体１４ａの外周面に一体に形成された放熱フィンである。
【００３６】
上記に構成された口金付ランプ１４は、本体１１に回動可能に設けられた灯具１２の照射開口１２ｂ１から灯具１２内に挿入され、一対の口金１４ｃのプラグ部を一対の電気接続部１３ｂの挿入孔１３ｂ４から挿入し、係止孔１３ｂ３に回動移動させることによって、ランプとソケットの電気的な接続がなされるとともに機械的に保持される。
【００３７】
この際、ＧＸ５３形の口金を用いた口金付ランプ１４は、口金１４ｃがランプ本体の裏面側に小さく突出した一対のピン状の口金で構成され、さらに、口金付ランプ１４と灯具１２の寸法は、器具の小型化を図るために、図２（ａ）に示すように、口金付ランプ１４と灯具１２との間の隙間を極力小となし、口金付ランプ１４の外形寸法は、灯具１２の内灯体１２ｂの内径寸法より若干小さく形成し、また口金付ランプ１４の高さ寸法も灯具１２の深さ寸法と略等しい寸法に形成している。このため、口金付ランプ１４をソケット１３に装着する際には、口金１４ｃおよびソケット１３の電気接続部１３ｂもランプ本体１４ａによって隠れてしまい、目で見ることができずランプをソケットに装着することが難しくなっている。
【００３８】
しかしながら、本実施形態によれば、ソケット１３の電気接続部１３ｂは、灯具１２の回動軸線ｚ−ｚと略直交する位置に対向して設けられているので、回動軸線ｚ−ｚを目印にして、口金付ランプ１４の口金１４ｃを回動軸線ｚ−ｚに略直交させた状態でソケット１３に対して挿入することができる。これにより、口金１４ｃをソケット１３の挿入孔１３ｂ４に対して確実に挿入することができ、さらに、係止孔１３ｂ３に向けて回動させて係止することにより、電気的接続と機械的な保持を確実に行うことが可能になる。
【００３９】
同時に、口金１４ｃと挿入孔１３ｂ４との位置が若干ずれた場合でも、口金付ランプ１４のずれに対して、ソケット１３は、回動軸線ｚ−ｚを中心にして鉛直方向に追随して揺動する（挿入孔１３ｂ４が移動する）。この揺動によって、口金１４ｃと挿入孔１３ｂ４がともに追随して移動しながら、それぞれの位置を合せることが可能になり、口金１４ｃを挿入孔１３ｂ４に対して確実に挿入することができる。
【００４０】
因みに、ソケット１３の電気接続部１３ｂを、灯具１２の回動軸線ｚ−ｚと略一致する位置に対向して設けた場合には、電気接続部１３ｂが回動軸線ｚ−ｚ上に位置することから、ソケット１３は揺動しない。換言すれば、位置が固定された状態の挿入孔１３ｂ４に対して口金１４ｃを挿入しなければならない。このため、一対の口金１４ｃを正確に回動軸線ｚ−ｚ上に合わせて挿入しなければならない。しかし、正確に位置を合わせて挿入することは実際には難しい。
【００４１】
また、口金付ランプ１４がずれて挿入された場合には、口金１４ｃのずれに合わせてソケット１３が追随して揺動してしまうために（回動軸線ｚ−ｚ上の挿入孔１３ｂ４は移動しない）、口金１４ｃが回動軸線ｚ−ｚ上にある挿入孔１３ｂ４から離れてしまう。このため口金１４ｃと挿入孔１３ｂ４との位置がさらにずれることから、位置合せが一層難しくなり、半掛かり状態となる虞が生じ易くなる。
【００４２】
以上により、ＬＥＤを光源体ＬとしＧＸ５３形口金を有するフラット形の口金付ランプ２０を装着したダウンライト形の照明器具１０が構成される。
【００４３】
上記に構成された照明器具１０は、次のようにして被設置部、本実施形態では、図５に示すように住宅の水平な天井Ｘに設置される。先ず、端子台１５の電源端子１５ｂ、１５ｂに天井に予め配線された電源線ｗ２、ｗ２を接続する。なお、天井Ｘには、予め埋込孔Ｈが形成されている。この状態で、本体１１の板バネからなる取付具１６、１６を手で内方に撓ませ、本体１１から突出する天板１１ｂを埋込孔Ｈに挿入しながら、取付具１６、１６を埋込孔Ｈに挿入し手を離す。
【００４４】
そして、本体１１の下面を押して器具全体を埋込孔Ｈに向かって持ち上げるようにして押し込む。これにより、本体１１の飾り枠１１ｃが天井面に当接されて位置決めされ、同時に、取付具１６、１６の板バネが自らの弾性により元の状態に復帰して埋込孔Ｈの内面に圧接し、その圧接力により本体１１が埋込孔Ｈに支持される。埋込孔Ｈの切り口は飾り枠１１ｃよって綺麗に覆われて照明器具１０が天井面に設置される。
【００４５】
また、図５（ｂ）に示すように、本体１１に対し灯具１２を回動可能に設けるための回動軸１８、１８の端部は、灯具１２の外灯体１２ａと内灯体１２ｂとの間に収容され、回転軸１８、１８の端部やナット２０、２０が内灯体１２ｂによって覆い隠される。このため、天井に設置した状態でも外観がさらに向上し、商品性に優れた照明器具を提供することが可能になる。また、ナット締め付け時に生じ易い外灯体１２ａの変形等も隠すことが可能になる。さらに、ボルト、スペーサ、ナットにより回転軸を構成したので、リベット等による回転軸に比し灯具回転時の保持力を十分に確保することが可能になる。
【００４６】
上記に設置された照明器具１０に対して、ＧＸ５３形口金を有する口金付ランプ１４を装着する。装着に際しては、上記に説明したように、ソケット１３の直径方向に対向して設けられた一対の電気接続部１３ｂが、灯具１２の回動軸線ｚ−ｚと略直交する位置に対向して設けられているので、灯具１２の回動軸線ｚ−ｚを目印にして、口金付ランプ１４の口金１４ｃを回動軸線ｚ−ｚに略直交させた状態でソケット１３に挿入する。これにより、口金１４ｃと電気接続部１３ｂとの位置合わせを容易に行うことができ、口金付ランプ１４とソケット１３との電気的接続と機械的な保持を確実に行うことができる。
【００４７】
上記のように、口金付ランプ１４を装着した照明器具１０を点灯すると、口金付ランプ１４のＬＥＤからなる光源体Ｌから白色の光が放射され、ダウンライトとしての配光特性をもった照明を行うことができる。また、図５（ａ）に示すように、灯具１２を回動軸１８（回動軸線ｚ−ｚ）を中心にして回動させることにより、斜め下方に光を放射させることができ、スポットライト的な照明効果をも果たすことが可能になる。
【００４８】
また、口金付ランプ１４のＬＥＤから発生する熱は、ランプ本体１４ａの放熱フィン１４ａ１に伝達され外部に放熱されるとともに、ランプの背面側からソケット１３にも伝達される。ソケット１３に伝達された熱は、さらに灯具１２に伝達されて外部に放熱される。これにより、発光効率の低下を抑制することができ、寿命の長い口金付ランプさらには照明器具を提供することが可能になる。
【００４９】
また、灯具１２の外灯体１２ａと本体１１内面間に間隔ａが形成されているので、熱が間隔ａの空気層によって遮熱されて天板１１ｂに直接伝達されることが抑制される。これにより、特にランプの部品温度を規格値内に納めることが可能になる。特に本実施形態によれば、本体１１を熱伝導性の良好なアルミニウム板で構成したので、間隔ａ内の熱気は本体１１に伝達され、より効果的に外部に放熱させることができるため、ソケットやランプの温度低減を、より一層図ることが可能になる。
【００５０】
また、上記に構成された照明器具１０は、住宅等の傾斜した天井Ｘに設置されて使用される。この場合は、図６に示すように、灯具１２の回動軸線ｚ−ｚが水平方向になるように位置させて埋込孔Ｈに挿入し、上記同様に、取付具１６、１６によって傾斜天井Ｘに対して支持する。そして、図６（ａ）に示すように、灯具１２を回動軸１８（回動軸線ｚ−ｚ）を中心にして鉛直方向に回動させ、傾斜天井から目的とする部屋の下方を明るく照らすダウンライトとしての照明を行うことができる。
【００５１】
この際、図６（ｂ）に示すように、灯具１２の回動軸線ｚ−ｚは、取付具１６、１６を結ぶ線ｙ−ｙと略直交する方向に位置して設けられ、本体１１は、灯具１２の回動軸線ｚ−ｚと略直交するｙ−ｙ方向に対向して設けられた取付具１６、１６により被設置部Ｘに設置される。これにより、図６（ａ）に示すように、取付具１６、１６は、傾斜した天井Ｘの埋込孔Ｈの上下に位置して本体１１を支持することができる。
【００５２】
一方、この種のダウンライト形の照明器具を傾斜天井に設置する場合には、図７（ａ）（ｂ）に示すように、取付具１６、１６を傾斜天井Ｘの傾斜に対し直交する方向に設けて本体１１を支持した場合には、器具重量によって天井Ｘの取付面と本体１１の飾り枠１１ｃとの間に上下方向にわたって隙間ｔ１が形成される虞が生じる。
【００５３】
しかし、本実施形態によれば、取付具１６、１６が埋込孔Ｈの上下に位置し、特に下方に位置する取付具１６によって、確実に支持し隙間ｔ１を無くすことができる。これにより、器具を確実に傾斜天井に設置することができ、安全でかつ外観も良好で、さらに目的とする配光特性を十分に発揮させることが可能な傾斜天井設置用の照明器具を提供することができる。特に、本実施形態によれば、隙間ｔ１を塞ぐために、取付具１６の本数を増やすことなく行うことができ、コスト的にも有利な照明器具を提供することが可能になる。
【００５４】
また、上記のように傾斜天井に本体１１が設置されることによって、図６（ｂ）に示すように、端子台１５は、灯具１２の回動軸線ｚ−ｚ上に略一致させた位置に設けられる。これにより、端子台１５の負荷端子１５ａ、１５ａや電源端子１５ｂ、１５ｂの電線挿入口が水平方向に位置し、塵埃等が電線接続部分に付着し難くなり、湿気や塵埃等による漏電等の発生を防止することが可能になり、安全な埋め込み形の照明器具を提供することが可能になる。因みに、端子台１５を灯具１２の回動軸線ｚ−ｚ上に直交して位置させた場合には、図７（ａ）（ｂ）に例示するように、端子台１５の電線挿入口が上方に位置する場合も生じ、塵埃が電線接続部に付着し易くなってしまう。
【００５５】
以上、本実施形態において、照明器具１０は、被設置部である天井Ｘに設置したが、壁面や階段に沿う壁面、棚下等に設置されてもよい。口金付ランプは、固体発光素子であるＬＥＤを光源体としたフラット形のランプで構成したが、薄型のコンパクト形蛍光ランプであってもよい。また、固体発光素子は、例えば、青色を発光する窒化ガリウム（ＧａＮ）系半導体からなるＬＥＤチップで構成されることが好適であるが、半導体レーザ、有機ＥＬなどを発光源とした固体発光素子が許容される。また、白色で発光するようにしたが、照明器具の用途に応じ、赤色、青色、緑色等でも、さらには各種の色を組み合わせて構成してもよい。さらに、調光や調色機能をもたせてもよい。
【００５６】
本体１１は、熱伝導性の良好なアルミニウム板で構成したが、アルミダイカストで構成してもよい。または、白色などのＰＢＴ樹脂等からなる合成樹脂で構成してもよい。外観形状は、フラット形の口金付ランプを光源とするために、平面が略円形の円筒体をなすように構成することが好ましいが、平面が三角形、四角形、六角形などの多角形状、さらには楕円形状等をなすものであってもよい。
【００５７】
ソケット１３は、合成樹脂で構成したが、口金付ランプ１４の放熱性をより高めるために熱伝導性の良好な金属、例えば、アルミニウム、さらにはセラミックス等で構成してもよい。外観形状は、フラット形の口金付ランプを装着するために、平面が略円形で円板状をなすように構成することが好ましいが、平面が三角形、四角形、六角形などの多角形状、さらには楕円形状等をなすものであってもよい。
【００５８】
また、灯具１２の照射開口１２ｂ１に、カバー部材を設けるようにしてもよい。カバー部材は、ランプから放射された光を拡散させてグレアを防止するもので、透光性を有する透明または光拡散性を有する半透明の部材で構成されたものが好適である。
【００５９】
以上、本発明の好適な実施形態を説明したが、本発明は上述の実施形態に限定されることなく、本発明の要旨を逸脱しない範囲内において、種々の設計変更を行うことができる。
【符号の説明】
【００６０】
１０  照明器具
１１  本体
１１ａ  開口
１２  灯具
１２ｂ１  照射開口
１３  ソケット
１３ｂ  電気接続部
１４  口金付ランプ
１４ｃ  口金
１５  端子台
１６  取付具
Ｘ    被設置部
ｚ−ｚ  回動軸線
【図１】
2013004249.tif 000003
【図２】
2013004249.tif 000004
【図３】
2013004249.tif 000005
【図４】
2013004249.tif 000006
【図５】
2013004249.tif 000007
【図６】
2013004249.tif 000008
【図７】
2013004249.tif 000009